(57)【特許請求の範囲】
【請求項１】
固定部材に配設された第１係合部材と、扉体に配設された第２係合部材とを備えた扉開閉装置において、前記第２係合部材は、第２ケース体及び該第２ケース体上の取付定位置に配設される第２取付プレートを備え、前記第２ケース体には、当該第２ケース体上を摺動する前記第２取付プレートの摺動方向に案内溝が形成され、また、当該第２ケース体の所定中心線に沿って所定幅のスリットが形成され、前記第２取付プレートは、前記第２ケース体から離脱することなく前記案内溝に係合しつつ摺動動作し、前記スリット位置で反転動作して前記第２ケース体の所定中心線に関し前記取付定位置と対称な位置に配設され、一対のフックは、作動体に一体に設けられて前記スリットの両側に設けられた開口窓からスプリングを介してそれぞれ突出され、前記第２取付プレートからの押圧によって後退する一方、前記第２取付プレートの取付定位置で当該第２取付プレートの嵌合窓及び切欠きのそれぞれに係止されることを特徴とする扉開閉装置。
【発明の詳細な説明】
【０００１】
【発明の属する技術分野】
本発明は、家具や建具等に設けられる扉体を開閉するための扉開閉装置に関する。
【０００２】
【従来の技術】
扉開閉装置は、第１係合部材を固定部材に取り付け、また、第２係合部材を扉体に取り付けて設置される。このうち第２係合部材を扉体に取り付ける従来からの方法で、最新のものは、例えば特開平７−８２９４７に開示されている。
この最新の方法に係る装置は、出荷時の如何を問わず現場の状況に応じて、右開き扉又は左開き扉に仕立て上げることができるものである。
図１３に示すこの装置１００によれば、扉体１０１の端面部に固着した、例えば上部取付金具（第２係合部材）１０２の左右方向の適宜な一方の挿入口、同図では挿入口１０２ａを開放し、この挿入口１０２ａから上部連動アーム（第２係合部材）１０３を挿入し、この連動アーム１０３を前後方向に調整しつつ、ネジ等で取付金具１０２に固定することで、現場の状況に応じて右開き扉又は左開き扉になるようにできる。即ち、この装置１００は、取付金具１０２に左右方向に開口した挿入口１０２ａ及び１０２ｂを設けておき、これを右開き扉又は左開き扉にするかによって選択し、選択された挿入口１０２ａ又は１０２ｂに連動アーム１０３を挿入してネジ等で固定するという構成をなすものである。
【０００３】
また、この装置１００によれば、扉体１０１の上部取付金具１０２に固定される上部連動アーム１０３の円筒体部には予め係合体１０４が突出される一方（図１４（Ａ））、固定枠体１０５には上部支持金具（第１係合部材）１０６が固着され、また、この支持金具１０６に上部支持アーム（第１係合部材）１０７が固着されており、この支持アーム１０７の円筒体部に係合体１０４が挿入される態様をなす。これに対し、扉体１０１の下部取付金具１０８には円筒体部が形成された下部連動アーム１０９が固着される一方（図１４（Ｂ））、固定枠体１０５の下部支持金具１１０に固定された下部支持アーム１１１の円筒体部には予め係合体１１２が突出され（図１４（Ｃ））、この係合体１１２が下部連動アーム１０９の円筒体部に挿入される態様をなしている。
【０００４】
【発明が解決しようとする課題】
しかしながら、この従来装置にあっては、現場の状況に応じて、右開き扉又は左開き扉に仕立て上げることができるものであるが、少なくとも取付金具の右又は左方向の挿入口から連動アームを挿入してネジ等で固定する必要がある。更には、例えば右開き扉用として出荷されたものを、左開き扉用に転用する場合などでは、取付金具の、例えば右方向の挿入口から連動アームを一旦取り外し、再度、当該連動アームを当該取付金具の左方向の挿入口から挿入して取り付けなければならないという手間が加わる。
また、固定枠体の、上部に配設される上部支持金具及び上部支持アームと下部に配設される下部支持金具及び下部支持アームとは構成が異なり、これに対応して、扉の上部及び下部に配設される部材も当然異なっている。しかも、これらの部材は互いに類似している。少なくとも現場において建て付けする際には、固定枠体のどの位置にどの部材を配設し、扉体のどの位置にどの部材を配設しなければならないか常に配慮する必要があり、上述した右開き扉か左開き扉かに関する手間に加えて、この種の建て付けに手間取るという不具合がある。
【０００５】
本発明の目的は、固定部材に対する扉体の建て付けに手間取ることのない扉開閉装置を提供することにある。
【０００６】
【課題を解決するための手段】
上記課題を解決するために、本発明の請求項１に係る扉開閉装置は、固定部材に配設された第１係合部材と、扉体に配設された第２係合部材とを備えたもので、前記第２係合部材は、第２ケース体及び該第２ケース体上の取付定位置に配設される第２取付プレートを備え、前記第２ケース体には、当該第２ケース体上を摺動する前記第２取付プレートの摺動方向に案内溝が形成され、また、当該第２ケース体の所定中心線に沿って所定幅のスリットが形成され、前記第２取付プレートは、前記第２ケース体から離脱することなく前記案内溝に係合しつつ摺動動作し、前記スリット位置で反転動作して前記第２ケース体の所定中心線に関し前記取付定位置と対称な位置に配設され、一対のフックは、作動体に一体に設けられて前記スリットの両側に設けられた開口窓からスプリングを介してそれぞれ突出され、前記第２取付プレートからの押圧によって後退する一方、前記第２取付プレートの取付定位置で当該第２取付プレートの嵌合窓及び切欠きのそれぞれに係止される。
【０００７】
上記本発明の請求項１によれば、取付プレートを第２ケース体から取り外すことなく転置させるだけで右開き扉又は左開き扉にワンタッチで、換言すれば、ネジの取り外し取り付け作業をせずに右開き扉又は左開き扉に仕立て上げることができ、建て付けに要する手間が大幅に省ける。また、扉用の金具部品の共通化が図れ、部品管理の上でも極めて有効である。
【００１０】
【発明の実施の形態】
本発明の実施の形態の一例を図１〜１１を参照して説明する。
本実施の形態に係る扉開閉装置１は、前後方向、左右方向及び上下方向の調整が可能なことはもとより、建て付けに要する手間が大幅に省けるものである。
本装置１の概略構成は、図１に示すように、固定部材２に配設される第１係合部材３と、扉体４に配設される第２係合部材５とを備え、更に、これらの部材３と部材５とを連結する軸棒６等の連結部材を備え、第１係合部材３と第２係合部材５とはこの連結部材を介して連設されているもので、係合部材３、５及び連結部材が協働することによって、扉体４を自在開閉させることができる。
ところで、第１係合部材３及び第２係合部材５は、上述のように両者が一組になって固定部材２及び扉体４にそれぞれ配設され、且つ、これら二組が、固定部材２及び扉体４に所定間隔をあけてそれぞれ配設されるのであるが、固定部材２の上下に配設される係合部材３は同一であり、また、扉体４の上下に配設される係合部材５も同一であることに特徴の一つがある。
【００１１】
このような装置１の詳細構成を、ここでは固定部材２及び扉体４の下方位置に配設された第１係合部材３及び第２係合部材５、並びにこれらの部材３と部材５との連結部材等について図面を参照して説明する。
図２は、本装置１のうち、上記下方位置に配設されるものの外観斜視図である。
まず、本装置１の第１係合部材３について、図３〜６を参照して説明する。
第１係合部材３は、第１ケース体７及び第１取付プレート８で構成され、かかる詳細構成は、図４に示されている。
第１ケース体７は、上記固定部材２に設けられた凹部（図示せず）に嵌合され、当該ケース体７の両側に延出したフランジ部７ａでビス等によって固着されている。一方、両フランジ部７ａに挟まれた表面側には、下記に詳述する左右調整ネジ９を操作するための左右調整窓７ｂ、この窓７ｂに隣接するところに下記に詳述するカム体１０を操作するためのカム窓７ｃ、この窓７ｃの略両側に固定ネジ１１のための貫通孔７ｄがそれぞれ穿設されている。そして、これら左右調整窓７ｂ、カム窓７ｃ及び貫通孔７ｄに対応する底面側に、調整ネジ孔７ｅ、カム係合孔７ｆとこの係合孔７ｆに連通する小孔７ｇ（以上、図５，６を参照）、及びネジ孔（図示せず）がそれぞれ設けられている。また、この底面の一方端は立設されて、図５，６に示すような折曲部７ｈを形成し、この折曲部７ｈに直角に連設されて取付プレート８の挿入口を形成する扁平なＵ字形状のガイド部７ｊが突設されている。
【００１２】
第１取付プレート８は、上記カイド部７ｊを介してケース体７内に挿入される板面部８ａと、この板面部８ａの一方端に形成される円筒体部８ｂで構成されている。そして、板面部８ａには、当該取付プレート８の挿入方向に半長円形状をなす切欠き８ｃ、この切欠き８ｃに隣接してその長軸が上記挿入方向に垂直をなす長円形状の作動孔８ｄ、及びこの作動孔８ｄの両側にその長軸が上記挿入方向に平行な、固定ネジ１１のための長円形状の貫通孔８ｅがそれぞれ設けられている。尚、切欠き８ｃは、取付プレート８の前後移動に伴う左右調整ネジ９との干渉防止のために、また、貫通孔８ｅは、取付プレート８の前後移動に伴う固定ネジ１１との干渉防止のために長円形状に形成されている。
【００１３】
ところで、上記左右調整ネジ９は、調整ネジ孔７ｅに螺合するネジ部と切欠き８ｃに嵌入するフランジ９ａと径大部９ｂとからなる頭部とを備えており、図５に示すように、左右調整ネジ９を進退させると、取付プレート８は、折曲部７ｈを支点として回動するので、円筒体部８ｂが左右方向（同図（Ｂ）の矢印方向）に移動し、固定部材２に対する扉体４の左右方向の調整が可能となる。
また、上記カム体１０は、カム係合孔７ｆに係合するカム本体と、小孔７ｇに挿入されてその軸端がカシメられている下軸と、作動孔８ｄを転動する上軸とを備えるとともに、上軸が、カム本体に偏心して設けられている。したがって、図６に示すように、上軸を回転させると、カム本体がカム係合孔７ｆで回転係合する一方、上軸が作動孔８ｄを転動するため、上軸から取付プレート８に作用する力のうち前後方向（同図（Ｂ）の矢印方向）の分力により、取付プレート８がケース体７のガイド部７ｊに案内されて前後方向に移動し、固定部材２に対する扉体４の前後方向の調整が可能となる。
尚、両調整は互いに独立して行えることは言うまでもない。
【００１４】
図４に戻って、円筒体部８ｂには、その内部に軸棒６等の連結部材が配設されている。即ち、円筒体部８ｂの一方の開口縁にはブッシュ１２が圧入され、また、その他方の開口縁にはその内部に雌ネジが螺刻されたブッシュ１３が圧入されている。そして、その頭部６ａが円筒体部８ｂの開口縁に当接する一方、その軸部６ｂが両ブッシュ１２，１３を貫通して円筒体部８ｂの開口縁から突出する上記軸棒６が配設され、この軸棒６には、その略中央に嵌着されたＥリング１４を一方の座とし、また、ブッシュ１３の端面を他方の座とするスプリング１５が取り付けられており、このスプリング１５によって当該軸棒６は、上記突出方向に付勢されている。
ところで、この軸棒６の頭部６ａ直下（近傍）の軸部６ｃに雄ネジ（固定手段）が螺刻されており、この雄ネジが上述したブッシュ１３の雌ネジ（固定手段）と螺合するようになっており、第１係合部材３と第２係合部材５と連設する際、突出した軸棒６の軸部６ｂを、扉体４の第２係合部材５、具体的には当該部材５の、後述する取付プレート２１の円筒体２１ｂに挿入させた後、軸棒６を回してネジ止めするようにしている。このような軸棒６を不動にする構成により、扉体４の吊りこみ作業の際、当該軸棒６に対し扉体４の第２係合部材５の円筒体２１ｂをはめ込み易く、この作業がスムーズに行え、当該軸棒６が円筒体８ｂ等から脱落して、場合により扉体４が固定部材２から外れてしまうことを防止できる。
【００１５】
次に、本装置１の第２係合部材５について、図７及び図８を参照して説明する。
第２係合部材５において、本発明の特徴の一つである転置動作が行われる。
第２係合部材５は、第２ケース体２０及び第２取付プレート２１で構成されている。
このうち第２ケース体２０は、小判状の箱体をなす裏蓋２２と、この裏蓋２２の上にピン２３によって取り付けられる矩形平板の扉ベース２４と、この扉ベース２４の両端上部にそれぞれネジ２５で固着される略矩形状の表蓋２６で構成されている。そして、裏蓋２２の底面には、一対のフック２７ａが一体として設けられた作動体２７であって、これらフック２７ａのそれぞれがスプリング２８を介して進退可能なものが配設されている。また、扉ベース２４の中心線（所定中心線）上に沿って所定幅のスリット２４ａが形成され、このスリット２４ａの両側に開口窓２４ｂがそれぞれ設けられ、この開口窓２４ｂからフック２７ａが突出する態様をなしている。更にまた、表蓋２６には、扉ベース２４と対向する面側に突片２６ａが所定間隔を隔ててそれぞれ設けられており、この突片２６ａと扉ベース２４面とで案内溝２９が形成されるようになっている。尚、扉ベース２４の貫通孔２４ｃ及び表蓋２６の貫通孔２６ｂは、これらを扉体４に固着するためのネジ（図示せず）の挿入孔である。
また、カバー４０は、建て付け完了後にケース体２０に装着されるもので、このカバー４０は、板面部４０ａ及びこの板面部４０ａの一方端に設けられた突設部４０ｂからなり、更に、板面部４０ａの他端近傍に一対の突起４１が突設されている。
【００１６】
また、第２取付プレート２１は、扉ベース２４上で転置動作をなす板面部２１ａと、この板面部２１ａの一方端に形成された円筒体２１ｂとで構成され、板面部２１ａを含み、且つ、円筒体２１ｂの中心軸を含む平面が扉ベース２４と平行となるように構成されている。
上記板面部２１ａには、その略中央に矩形状の嵌合窓２１ｃが、また、円筒体２１ｂと反対側の端部に矩形状の切欠き２１ｄが設けられ、これら嵌合窓２１ｃや切欠き２１ｄに、上記フック２７ａが突入する態様をなすとともに、取付プレート２１の取付定位置で、嵌合窓２１ｃに突入したフック２７ａは、当該嵌合窓２１ｃに係止され、このフック２７ａに対する外部からの押圧力が作用しない限り当該係止状態が維持される。また、この板面部２１ａの上記端部には、上記切欠き２１ｄの両側には突起２１ｅがそれぞれ設けられる一方、板面部２１ａの長手方向の両端部に上記突起２１ｅに連接する態様で矩形状の切欠き２１ｆが設けられ、上記突起２１ｅに対し、常に上記案内溝２９に係合する構成が採られている。したがって、取付プレート２１は、第２ケース体２０から離脱せずに案内溝２９に係合しつつ転置動作することになる。しかも、フック２７ａが嵌合窓２１ｃに係止されときには、突起２１ｅの側面５０と案内溝２９の内側面５１、及び切欠き２１ｆの側面５２と案内溝２９の外側面５３は、それぞれ僅かな隙間しか持たせていないので第２取付プレート２１が前後方向にがたつくことは無い。
ところで、円筒体２１ｂが形成された近傍の板面部２１ａには、一対の小孔２１ｈが穿設されており、この小孔２１ｈに上記突起４１が嵌入されるようになっている。
【００１７】
第２取付プレート２１の円筒体２１ｂに配設される連結部材の態様について、図９を参照して説明する。
円筒体２１ｂの、上記円筒体８ｂ側の開口縁廻りに、軸受け３０の凹部３０ａが緩挿され、円筒体２１ｂが軸受け３０を介して円筒体８ｂに連設する構成が採られ、この円筒体部８ｂの開口縁から突出した上記軸棒６の軸部が軸受け３０内に挿入される態様をなす。尚、軸受け３０の切欠き３０ｂは、板面部２１ａとの干渉防止のためのものである。
また、円筒体２１ｂの、上記開口縁から略中央に至る長手方向に切欠き２１ｇが設けられており、これに上下調整ナット３１の突設部３１ａが挿入され、上下調整ナット３１は、突設部３１ａが切欠き２１ｇの端部に当接したところで円筒体２１ｂ内に固着される。そして、この調整ナット３１に螺合する上下調整ネジ３２が上記開口縁の反対側の開口縁から挿入され、この開口縁にキャップ３３が配設される。
【００１８】
したがって、固定部材２に対する扉体４の上下方向（図９の矢印方向）の調整を行う場合には、キャップ３３を取り外して上下調整ネジ３２を適宜方向に回転させると、上下調整ナット３１を介して円筒体２１ｂが上下に移動する。これにより、固定部材２に対する扉体４の上下方向の調整が可能となる。
尚、軸受け３０の、上下調整ナット３１に対向する面側には軸受けプレート（図示せず）が配設されており、このプレートに上下調整ネジ３２が当接して当該調整ネジ３２のこの方向への移動が阻止されている。
【００１９】
ところで、円筒体部２１ｂに配設される上記連結部材を、扉体４の上方位置に配設された第２係合部材５の第２取付プレート２１にも配設して、いずれからでも上下方向の調整することができるようにしてもよい。
【００２０】
次に、本装置１を用いた建て付けのうち、固定部材２の第１係合部材３と扉体４の第２係合部材５との連設のしかたを図１０を参照して説明する。また、本装置１による転置動作、即ち、第２取付プレート２１が、第２ケース体２０から離脱せずに案内溝２８に係合しつつ摺動する摺動動作と、スリット２４ａの位置で反転する反転動作とからなる動作を図１１を参照して説明する。
第１係合部材３と第２係合部材５との連設のしかたは、図１０に示すような、突設された第１係合部材３の軸棒６が互いに対向する態様で、詳細には軸棒６の軸部６ｂが向かい合う態様で固定部材２の上下位置にそれぞれ配設されている場合には、まず、固定部材２の下部位置に配設された第１係合部材３及び第２係合部材５について、その第１係合部材３の軸棒６を回転させて当該軸棒６をブッシュ１３に螺着させ、それから、固定部材２に対し扉体４を傾斜させて、上記軸棒６に第２係合部材５の第２取付プレート２１をはめ込み、しかる後、上部位置に配設された第１係合部材３及び第２係合部材５について、その第１係合部材３の軸棒６を引っ張り上げ、取付プレート８に第２係合部材５の第２取付プレート２１を連設させてから軸棒６に対する引張力を解除する。すると、引張力が解除された軸棒６は、第２取付プレート２１内に挿入されて連設が完了する。
しかるに、本装置１では、上述のように、軸棒６を回転させて当該軸棒６をブッシュ１３に螺着させる処置をしており、これにより、当該軸棒６が第１取付プレート８などから脱落して、場合により扉体が固定部材から外れてしまう恐れをなくしている。当該処置は上方位置の軸棒６についてもなされるのが好ましい。
【００２１】
本装置１による転置動作は、図１１に示す摺動動作及び反転動作を含む一連の動作によって達成される。
かかる動作によって、例えば出荷時に、同図（Ａ）に示す第２係合部材５のもの（第２取付プレート２１が左側に配設されているもの）、又は扉体（図示せず）に同図（Ａ）に示す第２係合部材５が配設されたものが現場に送付されて来たが、実際には同図（Ｅ）に示すもの（第２取付プレート２１が右側に配設されているもの）でなければならなかったような場合、ワンタッチで、取付プレート２１の、同図（Ａ）の取付定位置から同図（Ｅ）の取付定位置に変更でき、この変更に手間取ることがない結果として固定部材２に対する扉体４の建て付けに手間取らなくなる。
同図（Ａ）の状態では、フック２７ａ（説明の都合上、同図の左側のフックをＰ、右側のフックをＱとする）は、この取付定位置で、フックＰが嵌合窓２１ｃに係止され、フックＱが切欠き２１ｄに係止されている。しかるに、例えばドライバのような工具でフックＰを押圧しながら取付プレート２１を同図（Ｂ）のように第２ケース体２０上で同図中の矢印方向に摺動させる。そして、取付プレート２１の、その突起２１ｅが設けられた端部（同図中のＲで示す）をスリット２４ａ内に差込みながら同図（Ｃ）のように取付プレート２１を反転させる。反転して取付プレート２１が第２ケース体２０上を押圧すると、同図（Ｄ）のようにフックＱが当該押圧力を受けて後退する。この後、同図（Ｄ）の位置にある取付プレート２１を同図（Ｅ）の取付定位置にすべく、第２ケース体２０上で同図（Ｄ）に示す矢印方向に摺動させていくと、同図（Ｅ）の取付定位置において、フックＱは嵌合窓２１ｃに突入される。この時、切欠き２１ｄにはフックＰが係止される。そして、上述した左右、前後及び上下方向の調整をした後、カバー４０の一方端に設けられた突設部４０ｂを扉ベース２４と表蓋２６とで形成される隙間に嵌挿させるとともに、板面部２１ａの小孔２１ｈにカバー４０の突起４１を嵌入させ（図７や図８を参照）、カバー４０を両表蓋２６の間に配設して当該建て付けが完了する。
ところで、取付プレート２１は、摺動動作及び反転動作を含む一連の動作中、常に端部Ｒの突起２１ｅが案内溝２９に係合しており、したがって、第２ケース体２０から離脱することはない。
尚、同図（Ａ）における取付プレート２１の位置と同図（Ｅ）における取付プレート２１の位置とは、扉ベース２４の中心線に関し対称の位置関係にあることは上述の通りである。
【００２２】
ここで、図１０の代わりに図１２のような態様をなす扉開閉装置５０もあり、この装置５０での第１係合部材３と第２係合部材５との連設のしかたについて説明を加えておく。
図１２の装置５０は、突設された第１係合部材３の軸棒６の頭部６ａが向かい合う態様をなすもので、この装置５０の場合には、固定部材２の上部に配設された第１係合部材３及び第２係合部材５について、その第１係合部材３の軸棒６を回転させて当該軸棒６をブッシュ１３に螺着させ、それから、固定部材２に対し扉体４を傾斜させて、上記軸棒６に第２係合部材５の第２取付プレート２１をはめ込み、しかる後、下部位置に配設された第１係合部材３及び第２係合部材５について、その第１係合部材３の軸棒６を引っ張り上げ、取付プレート８に第２係合部材５の第２取付プレート２１を連設させてから軸棒６に対する引張力を解除すと、軸棒６が第２取付プレート２１内に挿入され、連設が完了する。
この装置５０においても、上述のように、軸棒６を回転させて当該軸棒６をブッシュ１３に螺着させる処置をしており、これにより、当該軸棒６が第１取付プレート８などから脱落して、場合により扉体が固定部材から外れてしまう恐れをなくしている。
【００２３】
ところで、第１係合部材３と第２係合部材５との連設のしかたについて、図１０や図１２のような態様をなす装置１や装置５０を説明したが、第１係合部材３が扉体４の方に配設されて、図１０や図１２に相当する態様をなすようにすることも可能であり、この場合においても図１０や図１２の態様に準ずる手順で連設させることができる。
【００２４】
【発明の効果】
本発明の扉開閉装置によれば、固定部材に対する扉体の建て付けに手間取ることがない。
【図面の簡単な説明】
【図１】  本実施の形態に係る扉開閉装置の一部断面構成図である。
【図２】  本装置のうちの一組の拡大斜視図である。
【図３】  本装置の第１係合部材の拡大斜視図である。
【図４】  図３の分解斜視図である。
【図５】  本装置の左右調整の動作説明図である。
【図６】  本装置の前後調整の動作説明図である。
【図７】  本装置の第２係合部材の拡大斜視図である。
【図８】  図７の一部分解斜視図である。
【図９】  図７の一部分解斜視図である。
【図１０】  本装置を用いた建て付けの説明図である。
【図１１】  本装置の転置動作の説明図である。
【図１２】  本装置と異なる態様の装置を用いた場合の建て付けの説明図である。
【図１３】  従来装置の構成図である。
【図１４】  図１２の連動アーム等の構成図である。
【符号の説明】
１，５０      扉開閉装置
２            固定部材
３            第１係合部材
４            扉体
５            第２係合部材
６            軸棒
６ａ          頭部
６ｂ          軸部
６ｃ          頭部直下の軸部（固定手段）
７            第１ケース体
８            第１取付プレート
８ｂ          円筒体
１３          ブッシュ（固定手段）
１５          スプリング
２０          第２ケース体
２１          第２取付プレート
２１ｃ        嵌合窓
２４ａ        スリット
２４ｂ        開口窓
２７ａ        フック
２８          スプリング
２９          案内溝
【図１】
0003756033.tif 000002
【図２】
0003756033.tif 000003
【図３】
0003756033.tif 000004
【図４】
0003756033.tif 000005
【図５】
0003756033.tif 000006
【図６】
0003756033.tif 000007
【図７】
0003756033.tif 000008
【図８】
0003756033.tif 000009
【図９】
0003756033.tif 000010
【図１０】
0003756033.tif 000011
【図１１】
0003756033.tif 000012
【図１２】
0003756033.tif 000013
【図１３】
0003756033.tif 000014
【図１４】
0003756033.tif 000015